(57)【特許請求の範囲】
【請求項１】
左右一対の支柱と、この左右支柱間に配置されていて該左右支柱を連結する踏み桟とを備えた梯子において、
前記左右の支柱は、側壁と、この側壁の前後端部側から左右方向外方に向けて延出された外側の前後壁と、前記側壁から左右方向内方に向けて延出された内側の前後壁とを備え、
前記踏み桟の左右各端部側に取付固定された踏み桟取付材を備え、この踏み桟取付材を、支柱の内側の前後壁間に配置すると共に該踏み桟取付材及び内側の前後壁を貫通するボルト及び該ボルトに螺合されたナットによって支柱に着脱自在に取り付け、
前記ボルトの頭部及びナットが外側の前後壁より前後方向外方に突出しないように、前記支柱の内側の前壁を外側の前壁に対して支柱の前後方向中央側にオフセットさせると共に、内側の後壁を外側の後壁に対して支柱の前後方向中央側にオフセットさせ、
踏み桟を左右の支柱間から前後一側に取り外し得るように、支柱の側壁と踏み桟の左右の端部側との間に、前記ボルト・ナットを取り外した状態で踏み桟を前後軸回りに回動させることができる隙間を設けたことを特徴とする梯子。
【請求項２】
前記踏み桟取付材は、踏み桟の端部側に取り付けられた取付壁と、この取付壁の上下に設けられた取付部とを備え、前記上下の取付部は、支柱の内側の前後壁間に配置されると共に該前後壁間の間隔に相当する前後幅となるように形成されていて、該内側の前後壁及び前記取付部を貫通するボルト及び該ボルトに螺合されるナットによって支柱に取付固定されていることを特徴とする請求項１に記載の梯子。
【請求項３】
前記踏み桟取付材の取付壁と取付部とが長手方向にわたって形成されるように取付部のボルト貫通方向を長手方向として押出し成形又は引抜き成形によって長尺に形成された形材を長手方向に直交する面で切断することにより、踏み桟取付材が支柱の前後壁間の間隔に相当する前後幅となるように形成されていることを特徴とする請求項２に記載の梯子。
【発明の詳細な説明】
【技術分野】
【０００１】
本発明は、高所に昇るために使用される梯子、脚立の梯子、又は、作業台や足場台の梯子等の梯子に関するものである。
【背景技術】
【０００２】
従来、左右一対の支柱と、この左右支柱間に配置されていて該左右支柱を連結する踏み桟とを備えた梯子として、踏み桟が支柱に対して着脱可能とされた梯子が特許文献１にて開示されている。
この特許文献１に記載の梯子にあっては、支柱は、壁面が左右方向を向く側壁と、該側壁の前後各端部から左右方向内方に延出された前後壁とから平断面左右方向内方に開放状のコ字形に形成され、踏み桟の左右方向の端部側は、支柱の前後壁間に挿入されて該支柱の前後壁と踏み桟とを貫通するボルト及び該ボルトに螺合されたナットによって支柱に着脱可能に取り付けられており、踏み桟が交換可能とされている。
【特許文献１】特開２００６−１４４３５８号公報
【発明の開示】
【発明が解決しようとする課題】
【０００３】
前述したように従来の梯子にあっては、踏み桟の端部を支柱の前後壁間に挿入し、該支柱の前後壁及び踏み桟の端部を貫通するボルト及び該ボルトに螺合されるナットによって踏み桟が支柱に取り付けられており、この踏み桟を支柱に取り付けるためのボルトの頭部及びナットが支柱の前後方向の外面から突出しているという問題がある。
そこで、本発明は、前記問題点に鑑みて、踏み桟取付用のボルトの頭部及びナットが支柱から前後に突出するのを防止した梯子を提供することを目的とする。
【課題を解決するための手段】
【０００４】
前記技術的課題を解決するために本発明が講じた技術的手段は、左右一対の支柱と、この左右支柱間に配置されていて該左右支柱を連結する踏み桟とを備えた梯子において、
前記左右の支柱は、側壁と、この側壁の前後端部側から左右方向外方に向けて延出された外側の前後壁と、前記側壁から左右方向内方に向けて延出された内側の前後壁とを備え、
前記踏み桟の左右各端部側に取付固定された踏み桟取付材を備え、この踏み桟取付材を、支柱の内側の前後壁間に配置すると共に該踏み桟取付材及び内側の前後壁を貫通するボルト及び該ボルトに螺合されたナットによって支柱に着脱自在に取り付け、
前記ボルトの頭部及びナットが外側の前後壁より前後方向外方に突出しないように、前記支柱の内側の前壁を外側の前壁に対して支柱の前後方向中央側にオフセットさせると共に、内側の後壁を外側の後壁に対して支柱の前後方向中央側にオフセットさせ、
踏み桟を左右の支柱間から前後一側に取り外し得るように、支柱の側壁と踏み桟の左右の端部側との間に、前記ボルト・ナットを取り外した状態で踏み桟を前後軸回りに回動させることができる隙間を設けたことを特徴とする。
【０００５】
また、前記踏み桟取付材は、踏み桟の端部側に取り付けられた取付壁と、この取付壁の上下に設けられた取付部とを備え、前記上下の取付部は、支柱の内側の前後壁間に配置されると共に該前後壁間の間隔に相当する前後幅となるように形成されていて、該内側の前後壁及び前記取付部を貫通するボルト及び該ボルトに螺合されるナットによって支柱に取付固定されているのがよい。
【０００６】
また、前記踏み桟取付材の取付壁と取付部とが長手方向にわたって形成されるように取付部のボルト貫通方向を長手方向として押出し成形又は引抜き成形によって長尺に形成された形材を長手方向に直交する面で切断することにより、踏み桟取付材が支柱の前後壁間の間隔に相当する前後幅となるように形成されているのがよい。
【発明の効果】
【０００７】
本発明によれば、支柱の内側の前後壁を貫通するボルト及び該ボルトに螺合されたナッ
トによって踏み桟の左右各端部側を支柱に着脱自在に取り付け、このボルトの頭部及びナットが外側の前後壁から前後方向に突出しないように、支柱の内側の前壁を外側の前壁に対して支柱の前後方向中央側にオフセットさせると共に、内側の後壁を外側の後壁に対して支柱の前後方向中央側にオフセットさせているので、ボルト頭部及びナットの、支柱から前後方向外方への突出をなくすことができる。
【発明を実施するための最良の形態】
【０００８】
以下、本発明の実施の形態を図面を参照して説明する。
図１において、１は本発明に係る梯子として例示する１連梯子であり、該梯子１は左右一対の支柱２と、この左右支柱２を連結する踏み桟３と、この踏み桟３の左右方向の端部側を支柱２に取り付けるための踏み桟取付材４とを備えて主構成されている。
なお、以下の説明において、左右方向内方とは左右の支柱２から梯子１の左右方向中央に向かう方向をいい、左右方向外方とは梯子１の左右方向中央から左右の支柱２に向かう方向をいい、前後方向内方とは支柱２の前後方向の端部から支柱２の前後方向中央に向かう方向をいい、前後方向外方とは支柱２の前後方向中央から前後方向の端部に向かう方向をいう。
【０００９】
図１に示すように、左右の各支柱２は、壁面が左右方向を向く側壁５と、この側壁５の前後端部から左右方向外方に向けて延出された外側の前後壁６，７と、前記側壁５から左右方向内方に向けて延出された内側の前後壁８，９とを備えてなる。
また、内側の前壁８は外側の前壁５に対して支柱２の前後方向中央側（前後方向内方）にオフセットさせており、内側の後壁９は外側の後壁７に対して支柱２の前後方向中央側（前後方向内方）にオフセットさせている。
【００１０】
また、支柱２の下端には接地部材１０が取り付けられている。
踏み桟３は、左右の支柱２の間に上下方向に間隔をおいて複数本配置されており、左右方向に長く且つ左右方向の軸心を有する筒体（略円筒体）に形成され、外周面に滑り止め用の溝が長手方向に形成されている。
図１、図３〜図５に示すように、踏み桟取付材４は、壁面が左右方向を向く側面視四角形状の取付壁１１と、この取付壁１１の上下端部に設けられた取付部１２とを備えてなる。
【００１１】
前記取付壁１１の中央側には取付孔１３が厚さ方向に貫通形成され、この取付孔１３を介して踏み桟取付材４が踏み桟３の左右方向の端部側に取付固定されている。
本実施の形態では、踏み桟３の左右方向の端部側は前記取付孔１３に挿通され、且つ踏み桟３をバルジ加工することによって径方向外方に突出するように形成された左右一対の凸部１４によって取付壁１１を左右両側から挟み込むことにより、取付壁１１が踏み桟３の端部側に取付固定されている。
【００１２】
なお、踏み桟３と踏み桟取付材４との左右軸回りの相対回動を規制するために、取付孔１３の縁部に円弧状凹部１５が形成されていると共に、取付壁１１の壁面に凸条１６が前後方向に形成されている。
上下の取付部１２は、取付壁１１の前後方向にわたって設けられ、上側の取付部１２は、前後方向の軸心を有し且つ上面側の一部分が前後方向にわたって欠如した略円筒状に形成され、下側の取付壁１２は前後方向の軸心を有し且つ下面側の一部分が前後方向にわたって欠如した略円筒状に形成されており、上下の取付部１２にボルト１７が前後方向で挿通（貫通）可能とされている。
【００１３】
また、踏み桟３の左右方向の端部側は、該踏み桟３の端部が踏み桟取付材４の上下の取付部１２から左右方向外方側に突出しないように、踏み桟取付材４に固定されている。
前記踏み桟取付材４は、支柱２の内側の前壁８と後壁９との間の間隔に相当する前後幅Ｗに形成されており、該左右の踏み桟取付材４は左右方向で同じ側にある該支柱２の前後壁８，９間に配置され、例えば、内側の前壁８を貫通すると共に取付部１２を挿通し且つ内側の後壁９を貫通するボルト１７と、該ボルト１７の先端側に後方から螺合されたナット１８とによって支柱２に着脱自在に取り付けられている。
【００１４】
前記構成の梯子１にあっては、踏み桟取付材４の取付用のボルト１７の頭部１７ａと、
該ボルト１７の先端部１７ｂ及びナット１８とが外側の前後壁６，７よりも前後方向外方に突出しないように、支柱２の内側の前後壁８，９が外側の前後壁６，７に対して支柱２の前後方向中央側にオフセットされている（ボルト頭部１７ａ，ボルト先端部１７ｂ及びナット１８が支柱２の前後の外端面から突出しないように形成されている）。
【００１５】
また、図６に示すように、本実施の形態では、前記踏み桟取付材４は、該踏み桟取付材４を前後方向に直交する面で切断した断面形状と同じ断面形状に形成された長尺のアルミ等の形材１９（取付壁１１及び上下の取付部１２を有し且つ上下の取付部１２の軸心方向を長手方向とする長尺のアルミ等の押出し形材又は引抜き形材）を押出し成形又は引抜き成形によって形成し、この形材１９を、該形材１９の長手方向に直交する面で所定幅Ｗ（支柱２の内側の前後壁８，９間の間隔に相当する幅）に切断すると共に取付孔１３を穿孔することにより形成されている。
【００１６】
また、踏み桟取付材４は、支柱２の側壁５から左右方向内方側に離反した状態で支柱２の内側の前後壁８，９に取付固定されていて、前記ボルト１７・ナット１８を取り外して踏み桟３を支柱２間から前後方向に取り外し得るように、踏み桟取付材４と支柱２の側壁５との間には、該踏み桟３を前後軸回りに回動させることができる隙間Ｓが設けられている。
【００１７】
例えば、従来の梯子のように、踏み桟の左右の端部側が支柱の前後壁間に配置され、且つ該踏み桟の左右方向の端部が支柱の側壁に接当しているものにあっては、踏み桟取付用のボルト・ナットを取り外しても、踏み桟の左右方向端部側の前後には支柱の前後壁があるので、そのままでは、踏み桟を左右の支柱間から前後方向に取り外すことはできない。
そこで、従来の梯子において、踏み桟を取り外す場合は、踏み桟取付用のボルト・ナットを取り外し、支柱の左右方向の間隔を広げると共に、踏み桟を前後軸回りに回動させることにより、踏み桟の左右方向の端部側を支柱の前後壁と前後方向に関してオーバーラップしない位置に位置させ、この状態で支柱を前後方向に移動させることで踏み桟を左右支柱間から取り外すようにしており、踏み桟の交換が困難であるという問題がある。
【００１８】
これに対して、本実施形態の梯子１にあっては、踏み桟取付材４と支柱２の側壁５との間に、踏み桟３を前後軸回りに回動させることができる隙間Ｓが設けられているので、踏み桟取付材４を固定しているボルト１７・ナット１８を取り外すことにより、図７に示すように、踏み桟３を前後軸回りに回動させても踏み桟取付材４（及び踏み桟３の左右方向の端部）が支柱２の側壁５に接当して踏み桟３の回動が規制されることはなく、該踏み桟３を前後軸回りに回動させることで、踏み桟取付材４（及び踏み桟３の左右方向の端部）を支柱２の内側の前後壁８，９と前後方向に関してオーバーラップしない位置に位置させることができ、この状態で踏み桟３を前後方向に移動させることで左右の支柱２間から踏み桟３を前後方向に取り外すことができ、これによって踏み桟３の交換を容易に行うことができる。
【００１９】
なお、踏み桟３を支柱２に取り付けるのに、踏み桟取付材４を使わずに、踏み桟３の左右の各端部側を直接、支柱２内側の前後壁８，９間に挿入し、該前後壁８，９及び踏み桟３の端部側を貫通するボルト及び該ボルトに螺合されるナットによって、踏み桟３を支柱２に取り付けるようにしてもよく、この場合は、踏み桟３の端部側を、該踏み桟３の端部が支柱２の側壁５から左右方向内方に離反するように取り付けて、踏み桟３の端部と支柱２の側壁５との間に、踏み桟３を前後軸回りに回動させることができる隙間を設ける。
【００２０】
また、本実施の形態では、前記踏み桟取付材４は、長尺の形材１９を、該形材１９の長手方向に直交する面で所定幅Ｗに切断することにより支柱２の内側の前後壁８，９間に相当する前後幅Ｗに形成されているので、支柱２の内側の前後壁８，９間の間隔が異なるいろいろなサイズの支柱２に容易に対応することができる。
また、従来の梯子にあっては、踏み桟の端部を支柱の前後壁間に挿入し、該支柱の前後壁及び踏み桟の端部を貫通するボルト及び該ボルトに螺合されるナットによって、踏み桟を支柱に取り付けているので、踏み桟の前後幅を支柱の前壁と後壁との間の幅に相当する幅に形成しなければならず、踏み桟の前後幅が必要以上に幅広となり材料費が高くなるという問題がある。
【００２１】
これに対し、本実施の形態では、踏み桟３を支柱２に着脱自在に接合するのに、踏み桟３の左右各端部側に取付固定された踏み桟取付材４を支柱２の内側の前後壁８，９間に配置して、踏み桟取付材４及び内側の前後壁８，９を貫通するボルト１７及び該ボルト１７に螺合されたナット１８によって踏み桟取付材４を支柱２に着脱自在に取り付けるようにしているので、踏み桟３の前後幅を支柱２の前後壁８，９間の間隔に相当する幅に形成する必要はなく、梯子１を上り下りするのに適した大きさに踏み桟を形成することができる。
【００２２】
また、支柱２の前後方向の外面に部品を取り付ける場合にあっては、該部品を内側の前後壁８，９の外面に取り付けることにより、該部品の支柱２から前後方向への突出量を少なくすることができる（あるいは、突出しないようにすることができる）。
図８〜１３は本発明を採用した他の梯子１として例示する２連梯子１であり、該梯子１は、下梯子１Ａと、この下梯子１Ａに対して長手方向移動自在（上下動自在）に係合する上梯子１Ｂと、この上梯子１Ｂの昇降操作用の操作ロープ２０と、この操作ロープ２０が巻き掛けられる上下一対の滑車２１，２２と、下梯子１Ａに対する上梯子１Ｂの下降（収縮方向の移動）を規制するロック装置２３とを備えている。
【００２３】
なお、上梯子１Ｂを上下方向移動範囲の下限位置である収縮位置に位置させた状態（収縮状態）で下梯子１Ａに対する上梯子１Ｂの伸張方向（下梯子１Ａに対する上梯子１Ｂの上昇方向と同方向）の移動を規制する伸張止め装置を備えているのが好ましい。
下梯子１Ａ及び上梯子１Ｂは、前記図１〜７に示す梯子１と同様の構成をしており、同様の部材には同様の符号を付して説明を省略する。
【００２４】
接地部材１０は下梯子１Ａの下端側に設けられ、上梯子１Ｂは下梯子１Ａの背面側に配置され、該上梯子１Ｂは収縮位置において下梯子１Ａと前後方向に関してオーバーラップしている。
下梯子１Ａの上端側の左右両側には上梯子１Ｂに係合する係合ブラケット２４Ｌ，２４Ｒ（これを上係合ブラケットという）が設けられ、上梯子１Ｂの下端側の左右両側には下梯子１Ａに係合する係合ブラケット２５Ｌ，２５Ｒ（これを下係合ブラケットという）が設けられており、これら上下の係合ブラケット２４，２５を介して、下梯子１Ａに対して上梯子１Ｂが上下動自在であると共に下梯子１Ａに対する上梯子１Ｂの左右方向及び前後方向の移動が規制されるように、上梯子１Ｂが下梯子１Ａに係合している。
【００２５】
上係合ブラケット２４Ｌ，２４Ｒは、下梯子１Ａの支柱２の側壁５の外側面に重ね合わされて該側壁５にボルト固定された取付部２６と、上梯子１Ｂの支柱２の外側の前壁６に対して上下動自在で且つ左右方向内方及び前後に移動規制されるように係合する係合部材２７と、この係合部材２７が固定されて保持される保持部２８とから主構成されている。
なお、係合部材２７は保持部２８に一体形成されていてもよい。
【００２６】
また、左右一方（本実施の形態では右側）の上係合ブラケット２４Ｒには、上梯子１Ｂの支柱２の側壁５の左右方向外側方に位置する滑車ブラケット２９が保持部２８の後端側に一体形成されて設けられ、この滑車ブラケット２９に上側の滑車２１が左右方向の軸心回りに回動自在に支持されている
下係合ブラケット２５Ｌ，２５Ｒは、左右方向で同じ側に位置する上係合ブラケット２４Ｌ，２４Ｒと同様に構成されており、該下係合ブラケット２５Ｌ，２５Ｒの取付部２６は上梯子１Ｂの支柱２の側壁５の外側面に重ね合わされて該側壁５にボルト固定され、該下係合ブラケット２５Ｌ，２５Ｒの係合部材２７は下梯子１Ａの支柱２の外側の後壁７に係合し、右側の下係合ブラケット２５Ｒに一体形成された滑車ブラケット２９は下梯子１Ａの支柱２の側壁５の左右方向外方側に位置していると共に該滑車ブラケット２９に下側の滑車２２が左右方向の軸心回りに回動自在に支持されている。
【００２７】
操作ロープ２０は、一端側が下梯子１Ａの支柱２の上端側に固定されていると共に、ここから下方に向けて配設されて下側の滑車２２に巻き掛けられた後、上方に向けて配設されて上側の滑車２１に巻き掛けられ、その後、他端側が上梯子１Ｂの下端側に至るように下方に向けて配設されており、該操作ロープ２０の他端側と上側の滑車との間を把持して下方に引き下げることにより上梯子１Ｂが持ち上げられる。
【００２８】
ロック装置２３は、上梯子１Ｂの支柱２の側壁５の左右方向内側面に取付固定された止め金具取付座３１と、この止め金具取付座３１に下端側が左右軸回りに回動自在に枢支されていて前後揺動自在とされた止め金具３２と、この止め金具３２に枢支されたケリ爪３３とを備えている。
止め金具３２は、上梯子１Ｂを上昇させる際には下梯子１Ａの踏み桟３に接当することで後方に逃げて上梯子１Ｂの上昇を許容し、該止め金具３２が下梯子１Ａの踏み桟３の上方に位置し且つケリ爪３３が下梯子１Ａの踏み桟３の下方側に位置する状態で上梯子１Ｂを下降させると、止め金具３２が下梯子１Ａの踏み桟３に上方から係合して上梯子１Ｂの下降を規制する。
【００２９】
また、ケリ爪３３は、上梯子１Ｂを上昇させる際には、下梯子１Ａの踏み桟３に下方側から接当することで後方に逃げて上梯子１Ｂの上昇を許容し、該ケリ爪３３が下梯子１Ａの踏み桟３の上方に位置する状態で上梯子１Ｂを下降させると、ケリ爪３３が下梯子１Ａの踏み桟３に上方から接当することにより、ケリ爪３３が止め金具３２と一緒に後方に揺動して上梯子１Ｂが下降する。
【００３０】
なお、前記ロック装置２３には、止め金具３２を下梯子１Ａの踏み桟３に係合可能な位置に戻すように付勢する戻しバネが設けられている。
また、本発明は、前記実施形態のように、１連，２連の梯子に採用される他、３連梯子や、一対の梯子の上端側を天板で連結してなる脚立の梯子や、一対の梯子の上端側を足場板又は踏み板等によって連結してなる足場台又は作業台等の梯子に採用してもよく、左右一対の支柱２を少なくとも１本の踏み桟３によって連結した梯子１に採用することができる。
【図面の簡単な説明】
【００３１】
【図１】支柱と踏み桟との連結部分の平面断面図である。
【図２】（ａ）は梯子の正面図、（ｂ）は梯子の左側面図である。
【図３】支柱に対する踏み桟の連結構造を示す正面一部断面図である。
【図４】図３のＡ−Ａ線矢示断面図である。
【図５】（ａ）は踏み桟取付材の側面図、（ｂ）は踏み桟取付材の正面図である。
【図６】押出形材の側面図である。
【図７】踏み桟を前後軸回りに回動する状態を示した正面図である。
【図８】本発明を採用した２連梯子を示し、（ａ）は梯子の正面図、（ｂ）は梯子の左側面図である。
【図９】２連梯子の正面拡大図である。
【図１０】２連梯子の左側面拡大図である。
【図１１】２連梯子の右側面拡大図である。
【図１２】図８（ａ）のＢ−Ｂ線矢示断面図である。
【図１３】図８（ａ）のＣ−Ｃ線矢示断面図である。
【符号の説明】
【００３２】
２    支柱
３    踏み桟
４    踏み桟取付材
５    側壁
６    外側の前壁
７    外側の後壁
８    内側の前壁
９    内側の後壁
１１    取付壁
１２    取付部
１７    ボルト
１７ａ  ボルト頭部
１８    ナット
１９    形材
Ｓ    踏み桟の左右方向の端部及び踏み桟取付材と支柱の側壁との間の隙間
Ｗ    踏み桟取付材の前後幅
【図１】
0004928377.tif 000002
【図２】
0004928377.tif 000003
【図３】
0004928377.tif 000004
【図４】
0004928377.tif 000005
【図５】
0004928377.tif 000006
【図６】
0004928377.tif 000007
【図７】
0004928377.tif 000008
【図８】
0004928377.tif 000009
【図９】
0004928377.tif 000010
【図１０】
0004928377.tif 000011
【図１１】
0004928377.tif 000012
【図１２】
0004928377.tif 000013
【図１３】
0004928377.tif 000014